(57)【要約】      （修正有）【課題】苗の取り出しが早くできる、手植用セルトレイ苗の押し出し器を提供する。【解決手段】セルトレイ８全体が収まる中箱１を製作する。中箱１の底にセルトレイ苗と同数の貫通穴をあける。中箱１にセルトレイ苗を入れ、苗押し出し棒７の付いた外箱４に入れる。セルトレイ８の上部を手で押すと苗９は押し出し棒７が貫通穴を貫通して押し出される。セルトレイ鉢底に突き刺さった押し出し棒７は中箱１を持ち上げると瞬時に抜ける。セルトレイ鉢底が瞬時に抜ける。【選択図】図６
0003196428.tif 000002
【実用新案登録請求の範囲】
【請求項１】
［００２３］
図１の中箱１の底に円形の貫通穴２がある構造です。
セルトレイ８がぴったり収まる中箱１の底に貫通穴２をセルトレイ８の苗の数だけ開ける。この貫通穴２に苗押し出し棒７が貫通する。
この貫通穴２がある為にセルトレイ８の苗９が苗押し出し棒７で押し出される。
この貫通穴２がある為にセルトレイ８の鉢底に苗押し出し棒７が突き刺さっているが瞬時に抜ける。この瞬時に抜ける事が今回考案の最大の特徴です。
【請求項２】
［００２４］
図１の中箱１の底に多角形の貫通穴２がある構造です。
【請求項３】
［００２５］
本考案装置を一体化構造として使用する方法です。
図４の様に、セルトレイ８と中箱１と外箱４の構成で一体化して使用する作業方法です。
この一体化して使用する作業方法により、セルトレイ８の鉢底に外箱底の苗押し出し棒７が苗の数だけ突き刺さっても瞬時に抜ける。
［実施形態の効果］
［００２６］
従来は図１０の様に苗９を１株ずつ苗押し出し棒１１で押し出していた。
考案の実施施形態によれば図４の様にセルトレイ８全体の苗９が一度に押し出され苗の取り出しがはやくなる。
［００２７］
中箱１の貫通穴２があることで苗押出し棒７が突き刺さったセルトレイ８の鉢底が瞬時に抜ける。
この瞬時に抜ける方法が従来なかった方法で今回の考案の最大の特徴である。
［他の実施形態］
［００２８］
中箱１は稲作用の苗箱を利用しているが、金属製でも良い。
［００２９］
中箱１の底の貫通穴２の形状は、苗押し出し棒７が貫通すればよく、円形又は多角形とする。
［００３０］
外箱４は木製であるが金属製でも良い。
［００３１］
外箱底の苗押し出し棒７は苗の品種により太さや長さが変わる。
【考案の詳細な説明】
【技術分野】
【０００１】本考案は農業、セルトレイ苗の手植え作業に係わる用具である。
【背景技術】
【０００２】従来のセルトレイ苗の手植えはセルトレイの鉢底を１株ずつ棒で突いて苗を押し出し取り出していた。
【考案の概要】
【考案が解決しようとする課題】
【０００３】苗の機械植えは農機具メ−カ−が多く出しているが、小規模の農業団体では高価で買えない、何万本の苗を手植えする農家は１株づつ苗を押し出して手で植えている。
セルトレイ苗の取り出しを早くできるようにする。
【課題を解決するための手段】
【０００４】第１考案の底に穴を開けた中箱を製作する。
第２考案の周囲ガイド付き外箱を製作する。
第３考案は装置を一体化構成で使用する。
これらの考案により苗押し出し作業が１株ずつから１箱毎になりセルトレイ苗の取り出しが早くできる。
【第１考案】
【０００５】図１の中箱１である。
図３のセルトレイ８全体が収まる図１の中箱１を製作する。
中箱１の底にセルトレイ８の鉢数と同数の１３Φ貫通穴を８条×１６列の１２８個あける。
この穴を図２の苗押し出し棒７が１２８本貫通する。
中箱１は柔らかいセルトレイ８を安定して苗押し出し棒７の上に乗せる装置である。
中箱１はセルトレイ８の上を押して苗９を押し出した時、セルトレイ８の鉢底に苗押し出し棒７が１２８本貫通して突き刺さる。
この時、セルトレイ８だけを持ち上げても１２８本の苗押し出し棒７からは抜けない。中箱１を持ち上げると瞬時に抜ける。
中箱１はセルトレイ８を瞬時に抜く装置である。
【第２考案】
【０００６】図２の周囲ガイド付き外箱４である。
図１の中箱１を入れる図２の周囲ガイド付き外箱４を製作する。
図２の外箱４の底に苗押し出し棒７を立てる。
苗押し出し棒７は５Φ×４０ｍｍ  ８条×１６列の１２８本とするこの外箱周囲のガイド５と苗押し出し棒７により正確に苗の押し出しが出来る。
【第３考案】
【０００７】装置を一体化構成で使用する。
図１の中箱１と図２の外箱４と図３のセルトレイ８を一体化構成で使用する。
中箱１がある為にセルトレイ８を安定して苗押し出し棒７の上に乗せる事が出来る。
中箱１がある為にセルトレイ８の鉢底に突き刺さった苗押し出し棒７が瞬時に抜ける。この瞬時に抜ける方法が従来なかった。
瞬時に抜く事によりセルトレイ苗９の押し出しがはやく出来きる。
【考案の効果】
【０００８】第１考案、第２考案、第３考案により苗の押し出しが１株ずつから１箱毎に変わる為に、苗の押出し時間の大幅短縮が出来る。多くの小規模農家に役立つ。
押出した苗をセルトレイ１箱毎に畑にならべ大勢の作業者が同時に１株づつ手植えが出来る。
【図面の簡単な説明】
【０００９】
【図１】  第１考案の中箱１の斜視図である。
【図２】  第２考案の外箱４の斜視図である。
【図３】  苗が植えてあるセルトレイ８の斜視図である。
【図４】  本考案を実施する為の全体を示す斜視図である。
【図５】  実施例  １段階の断面図である。
【図６】  実施例  ２段階の断面図である。
【図７】  実施例  ３段階の断面図である。
【図８】  実施例  ４段階の断面図である。
【図９】  実施例  ５段階の断面図である。
【図１０】  従来技術を示す斜視図である。
【考案を実施するための形態】
【００１０】以下、本考案の実施の形態を図１〜図１０に基づいて説明する。
数字は図中の符号である。
【実施例１】
【００１１】図１は第１考案の中箱１の斜視図である。
図１は本考案装置の最も重要な部分である。
セルトレイ８を入れる中箱１で中箱１の底に１３Φの貫通穴２を８条×１６列の１２８個あける。
苗押し出し棒７が中箱１の貫通穴２を貫通し、セルトレイ８の鉢底を貫通し苗９を押し出し棒７の上で支える。
又セルトレイ８と中箱１を外箱４に入れた時外箱４の底まで中箱１は自然落下する。苗押し出し棒７が直径５Φ、中箱１の貫通穴２が直径１３Φで簡単に貫通する。
中箱１が自然落下した事により苗の押し出しが出来る。
又この貫通穴２によりセルトレイ８と中箱１が瞬時に取り出せる。
【実施例２】
【００１２】図２は第２考案の外箱４の斜視図である。
外箱４の周辺にガイド５をつける。これによりずれずに中箱１が入る。
外箱４の底に苗押し出し棒７を８条×１６列の１２８本立てる。
苗押し出し棒のサイズは苗によって変わる。今回は５Φである。
【実施例３】
【００１３】図３は苗９が植えてあるセルトレイ８の斜視図である。
【実施例４】
【００１４】図４は本考案装置の全体を示す斜視図である。セルトレイ８、苗９、中箱１、外箱４、がセルトレイ押さえ棒１０によって押され苗９が押し出された状態である。
苗９は苗押し出し棒７が１２８本で押し出している。
この時、セルトレイ８の鉢底に苗押し出し棒７が１２８本突き刺ささっている。
中箱１は取手３しか見えないが、取手３を持って中箱１を引き上げるとセルトレイ８の鉢底に苗押し出し棒７が１２８本突き刺ささっているが瞬時にセルトレイ８を取り出せる。ここが本考案の最大ポイントで従来なかった方法である。
【実施例５】
【００１５】図５は実施例１段階の断面図である。
本考案装置の中箱１にセルトレイ８と苗９を乗せた状態である。
【実施例６】
【００１６】図６は実施例２段階の断面図である。
本考案装置の中箱１とセルトレイ８と苗９を外箱４に入れた状態である。
中箱１は中箱底の貫通穴２により自然に下まで落下する。
苗９は苗押し出し棒７の上に乗る。セルトレイ８は柔らかく、ぐらぐらするが、中箱１で安定して苗押し出し棒７の上に乗せられる。
【実施例７】
【００１７】図７は実施例３段階の断面図である。
中箱１とセルトレイ８と苗９を外箱４に入れた後、セルトレイ８の上面をセルトレイ押さえ棒１０で数箇所押さえる。
セルトレイ１から苗９が１２８本押し出される。この時セルトレイ８の鉢底に苗押し出し棒７が１２８本突き刺ささる。
【実施例８】
【００１８】図８は実施例４段階の断面図である。
中箱１を手で持ち上げると瞬時に外箱４から中箱１とセルトレイ８と苗９が取り出せる。
セルトレイ８の鉢底に苗押し出し棒７が１２８本突き刺ささっていたが、中箱底の貫通穴２の効果でセルトレイ８を押し上げ、瞬時に外箱４から取り出せる。瞬時に取り出せる事がこの考案の最大ポイントです。
従来はこの瞬時に取り出せる方法がありませんでした。
【実施例９】
【００１９】図９は実施例５段階の断面図である。
中箱１からセルトレイ８を取り出す。
押し出された苗９は少し戻るがセルトレイ８との間に隙間が出来ているので苗９は楽に取り出せる。
セルトレイ８を畑に運ぶ。後苗９を１株ずつ畑に手植えする
【従来の作業方法】
【００２０】図１０は従来技術を示す斜視図である。
セルトレイ８に植えた苗９をセルトレイ８の鉢底から従来の苗押し出し棒１１を使用して、苗９を１株ずつ手で押し出していた。
苗９を１株ずつ手で押し出す事により作業の効率が悪かった。
【産業上の利用可能性】
【００２１】レタス、キャベツ、トウモロコシ等を手植えする小規模農家が対象である。この装置は安価で出来るため、入手し野菜苗の取り出し作業の効率を上げ小規模農家に役立つ。
【符号の説明】
【００２２】  １  中箱１
２  中箱底の１３Φ貫通穴２  ８条×１６列の１２８個
３  中箱の取手３
４  外箱４
５  外箱周囲のガイド５
６  外箱横の取手用欠き部６
７  外箱底の苗押し出し棒７  ５Φ×４０ｍｍ  ８条×１６列の１２８本
８  セルトレイ８
９  苗９  ８条×１６列の１２８本
１０  セルトレイ押さえ棒１０  ９Φ×５００ｍｍ    ２本
１１  従来の苗押し出し棒１１  ５Φ×１００ｍｍ    １本
【図１】
0003196428.tif 000003
【図２】
0003196428.tif 000004
【図３】
0003196428.tif 000005
【図４】
0003196428.tif 000006
【図５】
0003196428.tif 000007
【図６】
0003196428.tif 000008
【図７】
0003196428.tif 000009
【図８】
0003196428.tif 000010
【図９】
0003196428.tif 000011
【図１０】
0003196428.tif 000012
【手続補正書】
【提出日】平成26年12月13日(2014.12.13)
【手続補正１】
【補正対象書類名】実用新案登録請求の範囲
【補正対象項目名】全文
【補正方法】変更
【補正の内容】
【実用新案登録請求の範囲】
【請求項１】
底面にセルトレイ８の鉢数と同数の、苗押し出し棒７が貫通する、寸法と配列をもった、円形の、貫通穴２をあけた中箱１。
【請求項２】
底面にセルトレイ８の鉢数と同数の、苗押し出し棒７が貫通する、寸法と配列をもった、四角形、又は六角形の、貫通穴２をあけた中箱１。
【請求項３】
外箱４に、請求項１、又は請求項２の、いずれかを組み合わせた、構成からなる手植用セルトレイ苗の押し出し器。